(57)【特許請求の範囲】
【請求項１】
ボトルの口に被せられ該口を閉塞する中栓と、
前記中栓を覆うように前記ボトルの口に被せられるキャップとを有し、
前記中栓が、
前記ボトルの口と連通する、上下に開口を有する中空形状であって該ボトルの口に下端部が差し込まれる中空部と、該中空部の下端部と共同して、前記ボトルの上端部の差込みを受けて該上端部を銜え込む銜込部とを有する本体と、
前記中空部を覆うように該中空部の上方に広がり、径方向外側を向いた周面に周回方向に並ぶように形成された複数の回止め突起を有する蓋部と、該中空部の上端縁に一周に渡って接合されて該蓋部とともに該中空部上端の開口を閉塞する接合部とを有し、前記本体と一体の部品であって該本体とともに前記ボトルの口を閉塞し、前記キャップの、取外し方向とは逆方向への回転による上からの押圧を受けて該接合部が破壊されて前記本体とは別パーツとなる蓋体とを有し、
前記キャップが、
下方に開口して中空に形成され前記中栓を覆って前記ボトルの口に被せられる殻部と、
前記殻部の内側上面から下方に向って突出して下方が開口し、前記蓋部を内側に受け入れて該蓋部の縁を取り囲む受入部と、
前記受入部の内周面から内向きに突出し当該キャップと前記中栓との組立時に前記蓋部の縁に干渉して該蓋部に該受入部を押し広げさせ該蓋部が前記殻部上面側に通過すると該受入部を元の形状に復帰させて該蓋部の下方に位置し、前記接合部の破壊後においても該蓋部を支持する突起部と、
前記受入部の内周面から内向きに突出した、前記回止め突起に噛み合う、前記キャップの回り止め用のフックとを有し、
前記フックが、前記突起部が形成された前記受入部内周面における該突起部よりも上方であって、該フックと前記回止め突起との噛み合いから外れた状態の前記蓋部を受け入れる空間を前記受入部内の該フックよりも上部に残した位置に設けられていて、
前記複数の回止め突起および前記フックが、互いに噛み合って前記キャップの回転に対し抵抗力を付与しながら該キャップの両方向への回転を許容する形状を有し、
前記キャップが、前記蓋部を、前記受入部内の、前記回止め突起と前記フックが互いに噛み合う高さ位置に受け入れることにより、前記突起部が該蓋部の下方に位置するとともに、該蓋部が該受入部内であって前記殻部内面との間に間隔を有する位置に配置された状態に、前記中栓と組み合わされていることを特徴とするキャップ組立体。
【請求項２】
前記中栓が、前記中空部外周面を螺旋に周回するネジを有し、
前記キャップが、前記殻部の内側上面から下方に向って円筒状に突出して下方が開口し、内周面に前記ネジと螺合するネジが形成された螺合部を有することを特徴とする請求項１記載のキャップ組立体。
【請求項３】
前記キャップが、前記殻部内面に、前記ボトルに形成されたネジと螺合するネジを有することを特徴とする請求項１記載のキャップ組立体。
【請求項４】
前記中空部の、上方の開口を取り囲む上方を向いた上端面が、外方に向って登り勾配を有する面であることを特徴とする請求項１から３のキャップ組立体。
【請求項５】
ボトルの口に被せられ該口を閉塞する中栓と、
前記中栓を覆うように前記ボトルの口に被せられるキャップとを有し、
前記中栓が、
前記ボトルの口と連通する、上下に開口を有する中空形状であって該ボトルの口に下端部が差し込まれる中空部と、該中空部の下端部を共同して、前記ボトルの上端部の差込みを受けて該上端部を銜え込む銜込部とを有する本体と、
前記中空部を覆うように該中空部の上方に広がり、径方向外側を向いた周面に周回方向に並ぶように形成された複数の回止め突起を有する蓋部と、該中空部の上端縁に一周に渡って接合されて該蓋部とともに該中空部上端の開口を閉塞する接合部とを有し、前記本体と一体の部品であって該本体とともに前記ボトルの口を閉塞し、前記キャップの、取外し方向とは逆方向への回転による上からの押圧を受けて該接合部が破壊されて前記本体とは別パーツとなる蓋体とを有し、
前記キャップが、
下方に開口して中空に形成され前記中栓を覆って前記ボトルの口に被せられる殻部と、
前記殻部の内側上面から下方に向って突出して下方が開口し、前記蓋部を内側に受け入れて該蓋部の縁を取り囲む受入部と、
前記受入部の内周面から内向きに突出し当該キャップと前記中栓との組立時に前記蓋部の縁に干渉して該蓋部に該受入部を押し広げさせ該蓋部が前記殻部上面側に通過すると該受入部を元の形状に復帰させて該蓋部の下方に位置し、前記接合部の破壊後においても該蓋部を支持する突起部と、
前記受入部の内周面から内向きに突出した、前記回止め突起に噛み合う、前記キャップの回り止め用のフックとを有し、
前記フックが、前記突起部が形成された前記受入部内周面における該突起部よりも上方であって、該フックと前記回止め突起との噛み合いから外れた状態の前記蓋部を受け入れる空間を前記受入部内の該フックよりも上部に残した位置に設けられていて、
前記複数の回止め突起および前記フックが、互いに噛み合って前記キャップの回転に対し抵抗力を付与しながら該キャップの両方向への回転を許容する形状を有する、
キャップ組立体の、該中栓と該キャップとの組立方法であって、
前記キャップを前記中栓に被せて該中栓に対し相対的に下方に移動させることにより、前記蓋体に、前記突起部を上方に乗り越えさせ、さらに前記回止め突起と前記フックとが噛み合う高さ位置よりもさらに上方の位置まで該蓋体を前記受入部に受け入れさせ、
次いで、前記キャップを、前記中栓に対し相対的に上方に、前記回止め突起と前記フックとが噛み合う位置まで移動させることを特徴とするキャップ組立方法。
【発明の詳細な説明】
【技術分野】
【０００１】
本発明は、ボトルの口に被せるキャップ組立体、およびそのキャップ組立体の組立方法に関する。
【背景技術】
【０００２】
従来、例えばマヨネーズやジャム等、流動性のある食品を入れたボトルの口を中栓やシールなどで塞ぎ、その上からキャップを被せた構成の容器が多用されている。この構成の場合、そのボトルの内容物を取り出すにあたっては、先ずキャップを取り外し、その後で中栓のプルタブを開け、あるいはシールを剥がすなどの操作が必要であり、年配者にとってはプルタブを取り外すことが困難であったり、あるいはシールを剥した際にボトルの内容物が手に付いたり周囲に飛んで周囲を汚したりなど、使い勝手が悪いことが指摘されている。
【０００３】
これを改善するため、近年、キャップを初回に取り外す際に、キャップを一旦、取外し方向とは逆方向に回転させることで中栓を開封し、その後キャップを取外し方向に回すことで、中栓が開封された状態でキャップを取り外すことができる構造のキャップ組立体が提案されている（特許文献１，２，３参照）。この提案のキャップ組立体によれば、キャップを取り外した後で中栓を開ける必要がなく、使い勝手が格段に向上する。
【先行技術文献】
【特許文献】
【０００４】
【特許文献１】国際公開第ＷＯ／２００７／１２６０６２号公報
【特許文献２】特開２０１１−２２５２２０号公報
【特許文献３】特許第４５８１０３４号公報
【発明の概要】
【発明が解決しようとする課題】
【０００５】
上記提案のキャップ組立体の場合、キャップを初回に開けようとしてキャップを取外し方向とは逆方向である閉じ方向に回すと、回すのが一旦重くなって軽くなり、ただしその段階では中栓は未だ開封されておらず、さらに閉じ方向に回して中栓を開封し、その後キャップを、今度は取り外し方向に回す必要がある。
【０００６】
しかしながら、キャップを閉じ方向に回して一旦重くなった後軽くなった段階で中栓が開封されたものと勘違いするケースがあり、このような勘違いをなくすことが求められている。
【０００７】
本発明は、上記事情に鑑み、キャップを初回に開ける際の上記の勘違いの発生を防止し、取り扱い易いキャップ組立体およびその組立方法を提供することを目的とする。
【課題を解決するための手段】
【０００８】
上記目的を達成する本発明のキャップ組立体は、
ボトルの口に被せられその口を閉塞する中栓と、
その中栓を覆うようにボトルの口に被せられるキャップとを有し、
上記中栓が、
ボトルの口と連通する、上下に開口を有する中空形状であってボトルの口に下端部が差し込まれる中空部と、その中空部の下端部と共同して、ボトルの上端部の差込みを受けてボトルの上端部を銜え込む銜込部とを有する本体と、
上記中空部を覆うようにその中空部の上方に広がる蓋部と、その中空部の上端縁に一周に渡って接合されて蓋部とともに中空部上端の開口を閉塞する接合部とを有し、上記本体と一体の部品であって本体とともにボトルの口を閉塞し上からの押圧を受けて接合部が破壊されて本体とは別パーツとなる蓋体とを有し、
上記キャップが、
下方に開口して中空に形成され中栓を覆ってボトルの口に被せられる殻部と、
その殻部の内側上面から下方に向って突出して下方が開口し、蓋部を内側に受け入れて蓋部の縁を取り囲む受入部と、
受入部の内周面から内向きに突出しこのキャップと中栓との組立時に蓋部の縁に干渉して蓋部に受入部を押し広げさせ蓋部が殻部上面側に通過すると受入部を元の形状に復帰させて蓋部の下方に位置し、接合部の破壊後においても蓋部を支持する突起部とを有し、
上記キャップが、蓋部を受入部に受け入れて突起部が蓋部の下方に位置するとともに、蓋部が受入部内であって殻部内面との間に間隔を有する位置に配置された状態に、中栓と組み合わされていることを特徴とする。
【０００９】
本発明のキャップ組立体は、中栓とキャップがそれぞれ上記の構成を有し、キャップが蓋部を受入部に受け入れて突起部が蓋部の下方に位置するとともに、蓋部が受入部内であって殻部内面との間に間隔を有する位置に配置された状態に、中栓と組み合わされているため、キャップで中栓を開封する際は、従来のような、一旦重くなって軽くなるようなユーザに勘違いを生じさせる挙動はなく、取り扱い易い構造となっている。
【００１０】
ここで、本発明のキャップ組立体において、上記中栓が、中空部外周面を螺旋に周回するネジを有し、上記キャップが、殻部の内側上面から下方に向って円筒状に突出して下方が開口し、内周面に上記ネジと螺合するネジが形成された螺合部を有することが好ましい。
【００１１】
この構成の場合、中栓とキャップを、ボトルとは無関係に組み立てることができる。
【００１２】
あるいは、本発明のキャップ組立体において、上記キャップが、殻部内面に、ボトルに形成されたネジと螺合するネジを有するものであってもよい。
【００１３】
また、本発明のキャップ組立体において、中空部の、上方の開口を取り囲む上方を向いた上端面が、外方に向って登り勾配を有する面であることが好ましい。
【００１４】
この構成の場合、ボトルを傾けてそのボトルの内容物を注いでボトルを立てたときの内容物の切れを良くし、内容物が不用意に垂れることが防止される。
【００１５】
また、本発明のキャップ組立体の組立方法は、本発明のキャップ組立体を構成する中栓とキャップの組立方法であって、キャップを中栓に被せて、蓋部を、突起部が蓋部を越えて蓋部の下方に位置し蓋部と殻部内面との間隔が相対的に狭まった位置まで受入部に受け入れさせ、その後、キャップを、突起部が蓋部の下方に位置した状態が保たれる範囲内で中栓に対し相対的に上方に移動させて、蓋部と殻部内面との間隔を広げることを特徴とする。
【００１６】
この組立方法によれば、中栓の蓋部と、キャップの殻部内面との間隔を確実に広げた配置とすることができ、開封前において不用意にキャップが押された場合であっても中栓の蓋部に力が及ぶことを避け、中栓が不用意に開封されてしまうことが防止される。
【発明の効果】
【００１７】
以上の本発明によれば、キャップを初回に取り外す際に中栓が未だ開封されていないにもかかわらず中栓が開封されたものと勘違いすることを避けることができ、使い勝手が向上する。
【図面の簡単な説明】
【００１８】
【図１】比較例のキャップ組立体の縦断面図である。
【図２】図１に示す比較例について、消費者による開封時の動きを示した図である。
【図３】図１に示す比較例について、消費者による開封時の動きを示した図である。
【図４】図１に示す比較例について、消費者による開封時の動きを示した図である。
【図５】図１〜図４に示す比較例における、キャップを初回に開けるにあたって、キャップを一旦閉める方向に回転させたときのトルクの変化を示した図である。
【図６】本発明の第１実施形態のキャップ組立体の縦断面図である。
【図７】第１実施形態のキャップ組立体を構成するキャップの部分拡大断面図である。
【図８】第１実施形態のキャップ組立体の、中栓の蓋部がキャップの受入部に受け入れられた状態の一部分を示す部分拡大断面図である。
【図９】キャップの受入部に中栓の蓋部が入り込んだ状態における、蓋部を水平に切断した断面の蓋部の縁の一部分を示す部分拡大断面図である。
【図１０】第１実施形態のキャップ組立体における、中栓へのキャップの組立方法の説明図である。
【図１１】第１実施形態のキャップ組立体における、中栓へのキャップの組立方法の説明図である。
【図１２】第１実施形態のキャップ組立体における、中栓へのキャップの組立方法の説明図である。
【図１３】第１実施形態のキャップ組立体における、中栓へのキャップの組立方法の説明図である。
【図１４】第１実施形態のキャップ組立体をボトルに打栓する場面の説明図である。
【図１５】第１実施形態のキャップ組立体をボトルに打栓する場面の説明図である。
【図１６】キャップを初回に開ける場面の説明図である。
【図１７】キャップを初回に開ける場面の説明図である。
【図１８】第１実施形態における、キャップを初回に開けるにあたってキャップを一旦閉める方向に回転させたときのトルクの変化を示した図である。
【図１９】本発明の第２実施形態のキャップ組立体の縦断面図である。
【図２０】第２実施形態のキャップ組立体における、キャップを初回に開ける場面の説明図である。
【図２１】第２実施形態のキャップ組立体における、キャップを初回に開ける場面の説明図である。
【発明を実施するための形態】
【００１９】
以下、先ず本発明と対比される比較例について説明し、次いで本発明の実施形態を説明する。
【００２０】
図１は、比較例のキャップ組立体の縦断面図である。
【００２１】
この図１に示す比較例のキャップ組立体１Ａは、中栓１０とキャップ２０とから構成されている。
【００２２】
中栓１０は、ボトル３０の口３１に被せられてその口３１を閉塞する部品である。また、キャップ２０は、中栓１０を覆うように中栓１０の上からボトル３０の口３１に被せられる部品である。
【００２３】
この図１は、中栓２０が既にボトル３０の口３１に打栓され、キャップ２０が、その中栓１０の上から被せられ、中栓１０に対し所期の位置関係にある状態を示している。
【００２４】
中栓１０は、本体１１と、蓋体１２とを有する。
【００２５】
本体１１は、中空部１１１と銜込部１１２とを有する。このうち、中空部１１１は、ボトル３０の口３１と連通する、上下に開口を有する中空形状を有し、下端部１１１ａがボトル３０の口３１に差し込まれている。
【００２６】
また、本体１１を構成する銜込部１１２は、中空部１１１の、ボトル３０の口３１に差し込まれた下端部１１１ａと共同して、ボトル３０の上端部３２の差込みを受けてボトル３０の上端部３２を銜え込む役割りを担っている。この銜込部１１２には内向きに突出したリブ１１２ａが形成されており、そのリブ１１２ａがボトル３０の凹部３３に入りこむことにより銜込部１１２はボトル３０の上端部３２を固く銜え込み、ボトル３０の口３１から抜けない構造となっている。
【００２７】
また、この中栓１０を構成する蓋体１２は、蓋部１２１と接合部１２２とを有する。このうち、蓋部１２１は、中空部１１１を覆うようにその中空部１１１の上方に板状に広がる部分である。また、接合部１２２は、中空部１１１の上端縁１１１ｂに一周に渡って接合されて、蓋部１２１とともに中空部１１１の上端の開口を閉塞している。この中栓１０を構成する本体１１と蓋体１２は、一体的に成形された１つの部品であるが、接合部１２２は、蓋部１２１が上から押されると容易に破壊され、接合部１２２が破壊されると蓋体１２は本体１１とは別パーツとなる。この点については後述する。
【００２８】
接合部１２２が不用意には破壊されないよう安全余裕度を確保するため、蓋部１２１の上面に窪み１２１ａを形成することで、蓋部１２１がキャップ２０の上面から離間した形状とし、キャップ２０の上面に力が加わってその上面が凹んでもその力が蓋部１２１には及ばないよう工夫されている。
【００２９】
また、この比較例のキャップ組立体１Ａを構成するキャップ２０は、殻部２１と、受入部２２と、突起部２３とを有する。
【００３０】
殻部２１は、下方に開口して中空に形成され、中栓１０を覆ってその中栓１０の上からボトル３０の口３１に被せられる部分である。この殻部２１の内周面には、ボトル３０に設けられた雄ネジ３４と螺合する雌ネジ２１１が形成されており、このキャップ２０は、回すことによって着脱される。
【００３１】
また、受入部２２は、殻部２１の内側上面から下方に向って突出して下方が開口し、本体１１の蓋部１２１をその内側に受け入れて蓋部１２１の縁１２１ｂを取り囲む部分である。
【００３２】
さらに、突起部２３は、受入部２２の内周面から内向きに突出したリブ形状を有する部分である。この突起部２３は、後述するように、蓋部１２１の縁１２１ｂと干渉する位置まで突出している。
【００３３】
この図１に示す構造のキャップ組立体１Ａをボトル３０に取り付けるには、ボトル３０に内容物を充填した後、中栓１０の中空部１１の下端部と銜込部１１２との間にボトル３０の上端部３２を銜え込ませる。すなわち、中栓１０をボトル３０に打栓する。その打栓の後、キャップ２０を被せて回転させ、図１に示す、キャップ２０の突起部２３が中栓２０の蓋部１２１の直ぐ上の位置となるようにキャップを取り付ける。その後、シュリンク包装等が行われ、キャップ２０は、この図１に示す位置から不用意には回転しない状態となる。
【００３４】
図２〜図４は、図１に示す比較例について、消費者による開封時の動きを示した図である。
【００３５】
図１に示す状態で消費者の手に渡った後、その消費者がキャップを初回に開けようとするときは、先ずはシュリンク包装を取り外した後、キャップ２０をさらに閉める方向に回す。すると、キャップ２０が図２に矢印Ａで示す方向に移動し、中栓１０の蓋部１２１の縁１２１ｂがキャップ２０の突起部２３に干渉して受入部２２を弾性的に押し広げながら、蓋部１２１が、図２に示すように突起部２３よりも上に移動する。すると、蓋部１２１の縁１２１ｂとキャップ２０の突起部２３との干渉が解除されて受入部２２は元の形状に戻り、キャップ２０の突起部２３は蓋部１２１の縁１２１ｂの下に回り込む。
【００３６】
キャップ２０をさらに閉める方向に回してキャップ２０をさらに矢印Ａ方向に移動させると、キャップ２０が蓋部１２１を押し、図３に示すように、接合部１２２が破壊される。キャップ２０を閉める方向に回して図３に示す状態になるとキャップ２０は閉める方向には回らなくなり、今度はキャップ２０を開ける方向に回す。すると、図４に示すように、中栓１０のうちの蓋体１２のみが本体１１から離れてキャップ２０の受入部２２に入りこんだまま、キャップ２０とともにボトル３０から取り外される。このキャップ２０には突起部２３が形成されているため、この蓋体２０は、これ以降ずっと、キャップ２０の受入部２２に入りこんだままとなる。
【００３７】
これら図１〜図４に示す比較例の場合、キャップ２０を初回に開けるときにキャップ２０を一旦閉める方向に回転させることで中栓１０を開けることができ、キャップを開けた後で中栓を開けるという行為は不要であり、使い勝手が大幅に向上している。
【００３８】
図５は、図１〜図４に示す比較例における、キャップ２０を初回に開けるにあたって、キャップ２０を一旦閉める方向に回転させたときのトルクの変化を示した図である。
【００３９】
シュリンク包装を取り外してキャップ２０を閉める方向に回すと、キャップ２０が図２に矢印Ａで示す方向に移動し、中栓１０の蓋部１２１の縁１２１ｂがキャップ２０の突起部２３に干渉して受入部を押し広げる。このとき、図５の領域ａに示すようにキャップ２０を回すための力（トルク）が上昇する。キャップ２０を閉じる方向にさらに回すと、蓋部１２１が突起部２３よりも上に移動しトルクが一旦低下する（領域ｂ）。キャップをさらに閉じる方向に回すと、今度はキャップ２０が蓋部１２１を押しキャップ２０を閉じる方向にさらに回すと、トルクを上昇させながら接合部１２２が破壊される（領域ｃ）。その後キャップ２０は閉じ方向には回らなくなり、今度はキャップ２０を開く方向に回すことによりキャップ２０が取り外される。
【００４０】
ここで、この図５から分かる通り、上述の比較例のキャップ組立体１Ａの場合、中栓１０を開けるためにキャップ２０を閉じ方向に回したとき、キャップ２０が中栓の蓋部１２１に当たるよりも前にトルクのピークＰが存在する。このため、このキャップ組立体１Ａが取り付けられたボトルの取扱いに慣れていない消費者は、トルクのピークＰを通り過ぎたことをもって中栓１０が開いたものと勘違いし、その時点でキャップ２０を開く方向に回してしまい、キャップ２０を開けてから中栓１０が開いていないことに気づく。キャップ２０を開けて中栓１０が開いていないことに気づいても、慣れていない消費者にとっては、領域ｃまで進まないと中栓１０が開かないことには気づかず、不良品としてクレームになるおそれもある。
【００４１】
以上の比較例の説明を踏まえ、次に本発明の実施形態を説明する。
【００４２】
図６は、本発明の第１実施形態のキャップ組立体の縦断面図である。
【００４３】
この図６に示す第１実施形態のキャップ組立体１Ｂは、中栓４０とキャップ５０とから構成されている。
【００４４】
中栓４０は、ボトル６０の口６１に被せられてその口６１を閉塞する部品である（図１４参照）。また、キャップ５０は、中栓４０を覆うように中栓４０の上からボトル６０の口６１に被せられる部品である。
【００４５】
中栓４０は、本体４１と、蓋体４２とを有する。
【００４６】
本体４１は、中空部４１１と銜込部４１２とを有する。このうち中空部４１１は、ボトル６０の口６１と連通する、上下に開口を有する中空形状を有し、打栓時にはその下端部４１１ａがボトル６０の口６１（図１５参照）に差し込まれる。
【００４７】
また、この中空部４１１には、その外周面に、その外周面を螺旋に周回する、キャップ５０の雌ネジ５４１と螺合する雄ネジ４１１ｃが形成されている。
【００４８】
また、本体４１を構成する銜込部４１２は、中空部４１１の、ボトル６０の口６１に差し込まれた下端部４１１ａと共同して、ボトル６０の上端部６２の差込みを受けてボトル６０の上端部６２を銜え込む役割りを担っている。この銜込部４１２にはリブ４１２ａが形成されており、そのリブ４１２ａがボトル６０の凹部６３（図１４参照）に入りこむことにより銜込部４１２はボトル６０の上端部６２を固く銜え込み、ボトル６０の口６１から抜けない構造となっている。
【００４９】
また、この中栓４０を構成する蓋体４２は、蓋部４２１と接合部４２２とを有する。このうち、蓋部４２１は、中空部４１１を覆うようにその中空部４１１の上方に板状に広がる部分である。また、接合部４２２は、中空部４１１の上端縁４１１ｂに一周に渡って接合されて、蓋部４２１とともに中空部４１１の上端の開口を閉塞している。この中栓４０を構成する本体４１と蓋体４２は、一体的に成形された１つの部品であるが、接合部４２２は、蓋部４２１が上から押されるとかなり容易に破壊される。接合部４２２が破壊されると、蓋体４２は本体４１とは別パーツとなる。
【００５０】
接合部４２２が不用意には破壊されないよう、できるだけ大きな安全余裕度を確保するため、蓋部４２１の上面には窪み４２１ａを形成してキャップ５０の上面からできるだけ離れる形状とし、キャップ５０の上面に力が加わってその上面が凹んでもその力が蓋部４２１には及ばないように工夫されている。
【００５１】
キャップ５０は、図６に示す殻部５１と、受入部５２と、突起部５３と、螺合部５４と、さらにフック５５（図７参照）とを有する。
【００５２】
殻部５１は、下方に開口して中空に形成され、中栓４０を覆ってその中栓４０の上からボトル６０の口６１（図１５参照）に被せられる部分である。
【００５３】
また、受入部５２は、殻部５１の内側上面から下方に向って突出して下方が開口し、本体４１の蓋部４２１をその内側に受け入れて蓋部４２１の縁４２１ｂを取り囲む部分である。
【００５４】
さらに、突起部５３は、受入部５２の内周面から内向きに突出したリブ形状を有する部分である。この突起部５３は、キャップ５０と中栓４０との組立時に、蓋部４２１の縁４２１ｂと干渉する位置まで突出している。
【００５５】
また、螺合部５４は、殻部５１の内側上面から下方に向って円筒状に突出して下方に開口した形状を有する。この螺合部５４の内周面には、中栓４０の中空部４１１の外周面に形成された雄ネジ４１１ｃと螺合する雌ネジ５４１が形成されている。すなわち、前述の比較例では、キャップ２０はボトル３０に対し開閉されるが、この第１実施形態のキャップ組立体１Ｂの場合、キャップ５０は直接的には中栓４０に対し開閉される構造となっている。
【００５６】
図７は、図６に示す第１実施形態のキャップ組立体１Ｂを構成するキャップの部分拡大断面図である。
【００５７】
また図８は、図６に示す第１実施形態のキャップ組立体１Ｂの、中栓４０の蓋部４２がキャップ５０の受入部５２に受け入れられた状態の一部分を示す部分拡大断面図である。
【００５８】
この第１実施形態のキャップ組立体１Ｂの場合、図６および図８に示すように、中栓４０の蓋部４２１は、キャップ５０の受入部５２の、突起部５３よりも上の空間に入り込んでいる。ただし、殻部５１の上部内面と蓋部４２２との間には、殻部５１に上から力が加わって殻部５１が多少凹んでもその力が蓋部４２１に加わらない程度に空いた空間が形成されている。
【００５９】
また、図７に示すように、このキャップ５０の受入部５０の内側の、突起部５３の直ぐ上の部分には、内側に突出したフック５５が形成されている。このフック５５は、周回方向について間隔を空けて複数箇所に形成されている。
【００６０】
図９は、キャップの受入部に中栓の蓋部が入り込んだ状態における、蓋部４２１を水平に切断した断面の蓋部４２１の縁４２１ｂの一部分を示す部分拡大断面図である。
【００６１】
この図９に示すように、中栓４０の蓋部４２１の周面４２１ｃには、周回方向に一周に渡って多数形成された回止め突起４２１ｄを有する。この回止め突起４２１ｄはフック５５に噛み合い、キャップ５０と中栓４０との位置関係が所期の関係からずれることを防止している。
【００６２】
図１０〜図１３は、図６〜図９を参照して説明した第１実施形態のキャップ組立体における、中栓へのキャップの組立方法の説明図である。
【００６３】
先ず、図１０に示すように、中栓４０の形状に合った冶具７０の上に中栓４０を置く。中栓４０には、その中空部４１１の内周面にリブ４１１ｅが形成されており、そのリブ４１１ｅが冶具７０の窪み（図示せず）に嵌りこんで回り止めされている。
【００６４】
次に、図１１に示すようにキャップ５０を被せ、キャップ５０を固定したまま、図１２に示すように冶具７０を矢印Ｒ１方向に回転させながら矢印Ｕ方向に上昇させる。中栓４０は冶具７０に対し回り止めされているため、中栓４０も冶具７０とともに回転し、中栓４０の雄ネジ４１１ｃがキャップ５０の螺合部５４の雌ネジ５４１と螺合する。すると、キャップ５０の受入部５２の内周面に形成された突起部５３（図７参照）に中栓４０の蓋部４２１の縁４２１ｂが干渉して中栓４０の蓋部４２１により受入部５２が弾性的に押し広げられ、蓋部４２１がその突起部５３を越えて殻部５１の上面側に通過すると受入部５２は元の形状に復帰する。これにより突起部５３は、蓋部４２１の下方に位置し、後述するようにして接合部４２２が破壊された後においても蓋部４２１を支持して、その蓋部４２１を受入部５２の内側に留める役割りを成す。
【００６５】
蓋部４２１が突起部５３に乗り上げると受入部５２が押し広げられて冶具７０を回転させるトルクが上がり、蓋部４２１が突起部５３を越えるとトルクが急に下がる。したがってこのトルクをモニタすることにより、蓋部４２１が突起部５３を越えたことを検出することができる。あるいは、トルクをモニタすることに代わり、冶具７０の矢印Ｒ１方向への回転角度または矢印Ｕ方向への移動量で、蓋部４２１が突起部５３を越えたことを検出してもよい。
【００６６】
ここで、冶具７０および中栓４０を図１２に示す矢印Ｒ１の方向に回すだけでは、蓋部４２１を突起部５３を越えた直上の位置に止めるのは難しく、蓋部４２１は受入部５２内で上に行き過ぎることになる。
【００６７】
そこで次に、図１３に示すように、今度は冶具７０を矢印Ｒ２方向に逆回転させながら冶具７０を矢印Ｄ方向に下降させて、蓋部４２１を突起部５３の直上に位置させる。蓋部４２１が突起部５３に当たると冶具７０を回転させるトルクが上昇し始めるので、そのトルクをモニタすることにより、蓋部４２１が突起部５３の直上にまで下降してきたことを検出することができる。あるいは、冶具７０の、矢印Ｒ２方向への回転角度や矢印Ｄ方向への下降量等で蓋部４２１が突起部５３の直上に達したことを検出してもよい。
【００６８】
第１実施形態のキャップ組立体１Ｂでは、このような組立工程を経て、蓋部４２１を受入部５２に受け入れて突起部５３が蓋部４２１の下方に位置するとともに、蓋部４２１が受入部５２の内部であって殻部５１の内面との間に間隔を有する位置に配置された状態に、キャップ５０と中栓４０とが組み合わされる。
【００６９】
ここで、蓋部４２１が突起部５３の直上にある状態では、図９に示すようにフック５５に回止め突起４２１ｄが噛み合い、輸送時の振動程度では中栓４０とキャップ５０は不用意には回転せずにその位置関係が保たれる。
【００７０】
尚、回止め用のフック５５は、図７，図８に示すように、突起部５３の直上の部分にのみ設けられていて、受入部５２のさらに上部には設けられていない。これは、消費者の手に渡ってキャップ５０が中栓４０の蓋体４２とともに開けられた後、そのキャップ５０を再度閉めるにあたり、回止め突起４２１ｄがフック５５に噛み合ったままだとキャップ５０を閉めるのが重くなってしまうからであり、キャップ５０を再度閉めるときは蓋部４２１はフック５５が設けられていない上部に移動し、キャップ５０を軽い力で閉めることができる。
【００７１】
尚ここでは、冶具７０と中栓４０を回転や上下動させる例を説明したが、中栓４０は固定したまま、キャップ５０を把持する冶具（図示せず）を回転や上下動させてもよい。
【００７２】
このように、この第１実施形態のキャップ組立体１Ｂは、ボトルへの打栓前に中栓４０とキャップ５０が組み立てられる。すなわち、このキャップ組立体１Ｂはそのキャップ組立体１Ｂのメーカ側で行うことができる。中栓４０とキャップ５０の組立ては、かなり高精度な制御下で行なう必要がある。この組立てをキャップ組立体１Ｂのメーカ側で行なうことができることは、ボトル３０に内容物を充填して打栓する食品メーカ側にその組立てのための技術上、設備上の負担を強いずに済むことになり、この第１実施形態はこの点においても好ましい実施形態である。
【００７３】
次にこのキャップ組立体をボトルに打栓する場面について説明する。
【００７４】
図１４，図１５は、第１実施形態のキャップ組立体をボトルに打栓する場面の説明図である。
【００７５】
ボトル６０に内容物を充填し、このキャップ組立体１Ｂを、中栓４０とキャップ５０が組み合わされた状態のまま、図１４に示すように、例えば上に平らな板８０などを宛がって押し下げる。すると、図１５に示すように、中栓４０の中空部４１の下端部４１１ａと銜込部４１２との間にボトル６０の上端部６２が入り込み、銜込部４１２に形成されたリブ４１２ａがボトル６０の凹部６３に入り込み、中栓４０はボトル６０の口６１に強固に固定される。
【００７６】
このキャップ組立体１Ｂをボトル６０に打栓した後はシュリンク包装が行われる。
【００７７】
図１６，図１７は、キャップを初回に開ける場面の説明図である。
【００７８】
消費者には、図１５に示した状態で渡ることになる。
【００７９】
消費者は、シュリンク包装を開封した後、キャップ５０を一旦閉じる方向に回す。すると、図１６に示すように、キャップ５０が中栓４０の蓋部４２を押し下げ、これにより接合部４２１ｂが破壊される。その後キャップ５０を開く方向に回すと、図１７に示すように、キャップ５０の受入部５２に中栓４０の蓋部４２１を保持したまま、キャップ５０が取り外される。その際には中栓４０の口が既に開いた状態となっている。
【００８０】
尚、中栓４０の、上方の開口を取り囲む上方を向いた上端面４１１ｄは、図８に示すように、外方に向って登り勾配を有する面に形成されている。この登り勾配の上端面４１１ｄは、このボトル６０を傾けて内容物を注いでボトル６０を立てたときに、内容物の切れを良くし、内容物が不用意に垂れるのを防止する効果を有する。
【００８１】
図１８は、図６〜図１７に示す第１実施形態における、キャップ５０を初回に開けるにあたってキャップ５０を一旦閉める方向に回転させたときのトルクの変化を示した図である。この図１８は、前述の比較例における図５と対比される図である。
【００８２】
この第１実施形態のキャップ組立体１Ｂの場合、図５に示すトルクのピークＰは中栓４０とキャップ５０との組立時に通過し、中栓４０とキャップ５０を組み立てた状態では、中栓４０の蓋部４２１は、キャップ５０の受入部５２内であって突起部５３よりもキャップ５０の上面側にある。したがって、キャップ５０を初回に開ける段階では、図５に示すトルクのピークＰはあらわれず、キャップ５０を回すための力（トルク）が上がるのはキャップ５０が蓋部４２１を押したときである。このため中栓４０を開けてキャップ５０を取り外そうとしている消費者に中栓４０が開いたものと勘違いさせるようなことがなく、消費者に安心感を与え、使い勝手の良いキャップ組立体が実現する。
【００８３】
次に、本発明の第２実施形態のキャップ組立体について説明する。この第２実施形態のキャップ組立体は、前述の比較例と対比すると分かり易いため、比較例のキャップ組立体１Ａの各要素に対応する要素には、形状等の多少相違があっても比較例のキャップ組立体１Ａの図面（図１〜図４）に付した参照符号と同一の参照符号を付して示し、相違点のみについて説明する。
【００８４】
図１９は、本発明の第２実施形態のキャップ組立体の縦断面図である。
【００８５】
この第２実施形態のキャップ組立体１Ｃでは、キャップ２０は、蓋部１２１を受入部２２に受け入れて突起部２３が蓋部１２１の下方に位置するとともに、蓋部１２１が受入部２２の内部であって殻部２１の内面との間に間隔を有する位置に配置された状態に、中栓１０と組み合わされている。
【００８６】
これを実現するため、この図１９に示す第２実施形態のキャップ組立体１Ｃの場合、蓋部１２１を受入部２２内の突起部２３よりも上に受け入れても蓋部１２１と殻部２１との間に十分広い間隔が確保されるように、受入部２２の寸法が定められている。
【００８７】
この第２実施形態のキャップ組立体１Ｃにおいて、中栓１０とキャップ２０を組立てるには、比較例の場合と同様、ボトル３０に内容物を詰めて中栓１０を打栓した後、キャップ２０を取り付けるという手順になる。打栓した中栓１０にキャップ２０を取り付けるにあたっては、図１０〜図１３に示されている冶具７０に代えて実際のボトル３０が使用され、図１０〜図１３を参照して説明した組立方法、すなわち、蓋部１２１を、受入部２２内の、突起部２３を乗り越えた、殻部２１の上面側にまで移動させてからキャップ２０を逆回転させて、蓋部１２１を突起部２３の直ぐ上に位置させる、という組立方法が採用される。
【００８８】
キャップ組立体１Ｃが図１９に示す通りに組み立てられると、ボトル３０とともにシュリンク包装がなされ、これによりキャップ２０は回転できず中栓１０に対し位置が固定された状態となる。
【００８９】
図２０，図２１は、第２実施形態のキャップ組立体１Ｃにおける、キャップを初回に開ける場面の説明図である。
【００９０】
消費者の手には、図１９に示した状態で渡ることになる。
【００９１】
消費者は、シュリンク包装を開封した後、キャップ２０を一旦閉じる方向に回す。すると、図２０に示すように、キャップ２０が中栓１０の蓋部１２を押し下げ、これにより接合部１２１ｂが破壊される。その後キャップ２０を開く方向に回すと、図２１に示すように、キャップ２０の受入部２２に中栓１０の蓋部１２１を保持したまま、キャップ２０が取り外される。その際には中栓１０の口が既に開いた状態となっている。
【００９２】
この第２実施形態のキャップ組立体１Ｃの場合も、前述の第１実施形態のキャップ組立体１Ｂの場合と同様、図５に示すトルクのピークＰは、中栓１０とキャップ２０との組立時に通過し、中栓１０とキャップ２０を組み立てた状態では、中栓１０の蓋部１２１は、キャップ２０の受入部２２内であって突起部２３よりもキャップ２０の上面側にある。したがって、キャップ２０を初回に開ける段階では、図５に示すトルクのピークＰはあらわれず、キャップ２０を回すための力（トルク）が上がるのはキャップ２０が蓋部１２１を押したときである。このため中栓１０を開けてキャップ２０を取り外そうとしている消費者に中栓１０が開いたものと勘違いさせるようなことがなく、消費者に安心感を与え、使い勝手の良いキャップ組立体が実現する。
【符号の説明】
【００９３】
１Ａ，１Ｂ，１Ｃ        キャップ組立体
１０，４０        中栓
１１，４１        本体
１２，４２        蓋体
２０，５０        キャップ
２１，５１        殻部
２２，５２        受入部
２３，５３        突起部
３０，６０        ボトル
３１，６１        口
３２，６２        上端部
３４，４１１ｃ        雄ネジ
１１２ａ，４１２ａ，４１１ｅ        リブ
５４        螺合部
５５        フック
６３        凹部
７０        冶具
８０        板
１１１，４１１        中空部
１１２，４１２        銜込部
１１１ａ，４１１ａ        下端部
１１１ｂ，４１１ｂ        上端縁
１２１，４２１        蓋部
１２１ｂ，４２１ｂ        縁
１２２，４２２        接合部
１２１ａ，４２１ａ        窪み
４１１ｄ        上端面
４２１ｂ        接合部
４２１ｃ        周面
４２１ｄ        回止め突起
５４１        雌ネジ
【図１】
0005833937.tif 000002
【図２】
0005833937.tif 000003
【図３】
0005833937.tif 000004
【図４】
0005833937.tif 000005
【図５】
0005833937.tif 000006
【図６】
0005833937.tif 000007
【図７】
0005833937.tif 000008
【図８】
0005833937.tif 000009
【図９】
0005833937.tif 000010
【図１０】
0005833937.tif 000011
【図１１】
0005833937.tif 000012
【図１２】
0005833937.tif 000013
【図１３】
0005833937.tif 000014
【図１４】
0005833937.tif 000015
【図１５】
0005833937.tif 000016
【図１６】
0005833937.tif 000017
【図１７】
0005833937.tif 000018
【図１８】
0005833937.tif 000019
【図１９】
0005833937.tif 000020
【図２０】
0005833937.tif 000021
【図２１】
0005833937.tif 000022